(57)【要約】【課題】出隅のみならず、段差の発生しやすい開口部の見切枠に臨む幅木や廻縁などの造作部材の端部を見栄え良く納め得るエンドキャップを提供する。【解決手段】エンドキャップＡは、本体部分１と隙間被覆片部５とで構成されている。本体部分１は、造作部材１０の上面１０ａ、木口１０ｂ及び壁面設置時に外部に現れるその外側面１０ｃの三面を覆う硬質部材で形成されている。隙間被覆片部５は、本体部分１の上面被覆片部１ａ及び木口被覆片部１ｂの壁面３０に向かう辺（外側面１０ｃの反対側の辺）から延出された軟質部材で構成されている。【選択図】図１
2018091037.tif 000002
【特許請求の範囲】
【請求項１】
造作部材の上面、木口及び壁面設置時に外部に現れるその外側面の三面を覆う、硬質部材で形成された本体部分と、
本体部分の上面被覆片部及び木口被覆片部の壁面に向かう辺から延出された軟質部材からなる隙間被覆片部とで構成されることを特徴とするエンドキャップ。
【請求項２】
隙間被覆片部の先端部分が本体部分の内側に湾曲するように形成されていることを特徴とする請求項１に記載のエンドキャップ。
【発明の詳細な説明】
【技術分野】
【０００１】
本発明は、床面または天井面と壁面との交差部に沿って配設された造作部材の端面に装着されるエンドキャップに関し、更に詳しくは、壁面の開口部に設けられた見切枠に臨む前記造作部材の端部と見切枠表面との隙間、或いは壁面の出隅部分の突き合わせ端面の隙間を覆い隠すためのエンドキャップに係る。
【背景技術】
【０００２】
上記のような造作部材としては、住宅等の建物の壁面（通常の壁や袖壁や腰壁）と床面との交差部に沿って配設される幅木や、壁面と天井面との交差部に沿って配設される廻り縁などがあり、壁面のコーナー部分（出隅部分）での突き合わせ部分に装着するためのコーナー用造作部材（エンドキャップ）が提案されている（特許文献１）。
【０００３】
この特許文献１は、コーナー部分で幅木の端部に装着されるコーナー用造作部材の発明である。該コーナー用造作部材は、装着時に外部に露出する表側側面に対して両木口（端面）を直角に加工し、一方の木口の表面角部をアール加工している。
そして、このコーナー用造作部材のアール加工した木口を壁面のコーナー部分の一方の壁面から突出させて一方の交差部に於ける壁面に取り付ける。続いてこの突出した部位の側面の裏面側に、このコーナー用造作部材に直交するように壁に配設された他方の幅木の木口を突き合わせる。
さらに、面取り加工が施されていないコーナー用造作部材の木口に他の幅木の木口を突き合わせ、直交する両幅木のコーナー側の端部を納めるようにしている。
【０００４】
この収め方では、コーナー部分に向けて配設される各幅木や当該コーナー用造作部材に加工誤差等があったり、施工時に位置ズレ等が生じたりした場合には、これら各幅木の木口とこの木口に突き合わせられる当該コーナー用造作部材の上記突出部位の裏面との間や、９０度で両方向から突き合わせた時に、両木口の間に隙間等が生じる恐れがあり、見栄えが悪くなるという問題があった。
【０００５】
そこで、上記問題を解決するために特許文献２に記載のようなエンドキャップが提案された。このエンドキャップは、床面と壁面との交差部に沿って配設され、出隅で直交する２つの幅木の端面を覆い隠すように構成されている。即ち、幅木の端面に対面配置するエンドキャップの端面側面部に、幅木の端面の端面が嵌まり込む凹部を形成するというものである。
【０００６】
これにより出隅に設置されたエンドキャップの凹部に直交する幅木の端部を挿入すれば幅木の端部は隠れ、仮に、上記のような加工誤差や組み立て時のズレがあったとしても凹部で隠蔽され、綺麗な外観を提供できるとされている。
【先行技術文献】
【特許文献】
【０００７】
【特許文献１】特開２０００−２４０２７２号公報
【特許文献２】特許第５３９３３７８号公報
【発明の概要】
【発明が解決しようとする課題】
【０００８】
しかしながら、幅木や廻縁のような造作部材の端面は、上記のような出隅のみに現れるというものでなく、例えば、出入口のような開口部に臨む位置にも現れる。特に、開口部では見切枠が装着されるため、見切枠の表・裏面と壁面との間に段差ができやすく、従って、壁面に取り付けられた幅木や廻縁の見切枠に臨むその端部との間には隙間ができやすい。
【０００９】
そして上記のようなエンドキャップは、通常、硬質樹脂成形品で形成されており、造作部材の端部と壁面或いは見切枠との間に発生した段差はそのまま隙間として残り、これを解消することが出来ない。
本発明は、上記実情に鑑みなされたものであり、出隅のみならず、段差の発生しやすい開口部の見切枠に臨む幅木や廻縁などの造作部材の端部を見栄え良く納め得るエンドキャップを提供することをその課題としている。
【課題を解決するための手段】
【００１０】
請求項１に記載のエンドキャップＡは、
造作部材１０の上面１０ａ、木口１０ｂ及び壁面設置時に外部に現れるその外側面１０ｃの三面を覆う、硬質部材で形成された本体部分１と、
本体部分１の上面被覆片部１ａ及び木口被覆片部１ｂの壁面３０に向かう辺（外側面１０ｃの反対側の辺）から延出された軟質部材からなる隙間被覆片部５とで構成されることを特徴とする。
【００１１】
このような構成とすることで、造作部材１０と壁面３０又は見切枠２０の表面との間にできた隙間Ｘ、或いは出隅３０ａで直角に突きあわされた造作部材１０の端面にできた隙間Ｘが上記隙間被覆片部５の変形によって埋められて目立たず、これによって施工性を向上させることができる。
【００１２】
請求項２は、請求項１に記載のエンドキャップＡにおいて、
隙間被覆片部５の先端部分５ｓが本体部分１の内側に湾曲するように形成されていることを特徴とする。
【００１３】
これにより交差部の壁面３０に取り付けられた造作部材１０の先端部分１０ｓと壁面３０、又は開口部Ｋに装着された見切枠２０、或いは壁面３０の出隅３０ａに於ける造作部材１０の先端部分１０ｓの突き合わせ部分に発生した隙間Ｘを、本体部分１の内側に湾曲した軟質部材製の隙間被覆片部５が埋める。
この内側への曲がりで、エンドキャップＡの隙間被覆片部５の先端部分５ｓが内側に隠れ露出しない。
【発明の効果】
【００１４】
本発明に係るエンドキャップＡは、上述のような構成としたことで、造作部材１０の先端部分１０ｓを見栄え良く納めることができた。
【図面の簡単な説明】
【００１５】
【図１】（ａ）は壁面の出隅に取り付けた造作部材の一方の端部に装着したエンドキャップの取付状態の一例を示す概略斜視図、（ｂ）は開口部の見切縦枠に臨む造作部材の端部に装着したエンドキャップの取付状態の一例を示す概略斜視図である。
【図２】本発明のエンドキャップの背面方向斜め上からの斜視図である。
【図３】図２の平面図である。
【図４】図２の背面図である。
【図５】装着時における図４の右側面図である。
【図６】は図１（ａ）に於けるエンドキャップ装着状態の平面図である。
【図７】は図１（ｂ）に於けるエンドキャップ装着状態の平面図である。
【発明を実施するための形態】
【００１６】
以下、本発明の実施の形態を図面に基づいて説明する。本実施形態では、造作部材１０である幅木を、床面４０と壁面３０の交差部に沿って取り付けた例を代表例として示す。  以下、幅木を符号１０として説明する。勿論、以下は図示していないが、廻縁にも適用できる。
【００１７】
エンドキャップＡは、図１や図５〜７に示すように、上記のように床面４０と壁面３０との交差部に沿って配設された幅木１０の長手方向の該先端端部１０ｓに取り付けられ、これを覆い隠す構造となっている。
【００１８】
この幅木１０は、壁面施工時に外部に露出する外側面１０ｃの中央よりやや上方に凹溝１０ｍが長手方向に沿って形成されている。また、この幅木１０の上面１０ａの手前側（反壁面側）の縁部には、床面４０側に向けて傾斜する傾斜面１０ｋが形成されている。
この幅木１０は、例えば、木質系材料や合成樹脂系材料、金属系材料等から帯状に比較的長尺に形成されている。
【００１９】
エンドキャップＡの本体部分１は、図２〜図５に示すように、上面被覆片部１ａ、木口被覆片部１ｂ、及び外面被覆片部１ｃで形成され、互いに直角に配置されている。
水平な上面被覆片部１ａと垂直な外面被覆片部１ｃとは、これらとの各内角が１３５°で傾斜した傾斜片部１ｋを介して一体的に繋がっており、木口被覆片部１ｂは、外面被覆片部１ｃ、上面被覆片部１ａ及び傾斜片部１ｋの前端から直角に伸び、本体部分１の下面、背面及び木口被覆片部１ｂの反対側の面が開放している。前記傾斜片部１ｋは幅木１０の傾斜面１０ｋに対応している。
本体部分１の正面視、平面視及び側面視の外郭形状はいずれも略長方形であり、幅木１０の上面１０ａ、木口１０ｂ及び外側面１０ｃを覆うようになっている。
【００２０】
そして、外面被覆片部１ｃには幅木１０の凹溝１０ｍに対応した位置に内側に突出した凸条１ｍが形成されている。この凸条１ｍは、本実施例では外面被覆片部１ｃの横方向の全長に亘り、木口被覆片部１ｂまで設けられている。
【００２１】
更に必要に応じて設けられるものであるが、木口被覆片部１ｂの内面側で壁面３０と接する（或いは近接する）壁側縁部の中央から木口被覆片部１ｂの反対側の開放面１ｄに向かって水平に伸びる薄い挟持用舌片１ｅが設けられている。
これら挟持用舌片１ｅを含む本体部分１は、硬質部材、通常は硬質樹脂（例えば、ＡＢＳ（アクリロニトリルブタジエンスチレン）や、ポリプロピレン、ポリエチレン、ポリエチレンテレフタレート、ポリカーボネート、ＰＰＳ（ポリフェニレンサルファイド）等の合成樹脂系材料を主材とする。）の成形品で形成される。
【００２２】
そして、本体部分１の上面被覆片部１ａ及び木口被覆片部１ｂの壁側縁から背面視で図４のようなＬ形の軟質の隙間被覆片部５が一体的に延出されている。隙間被覆片部５で上面被覆片部１ａから水平方向に一体的に延出されている部分を軟質上片部５ａ、木口被覆片部１ｂから木口被覆片部１ｂの反対側の開放面１ｄ方向に一体的に延出されている部分を軟質木口片部５ｂとする。
隙間被覆片部５の軟質上片部５ａと軟質木口片部５ｂとは、図のようにその接合部分で一体に繋がっていてもよいが、それぞれ独立して曲がることが出来るように分離していてもよい（図示せず）。そして、隙間被覆片部５は、その先端部分５ｓが本体部分１の内側に向けて断面円弧状に曲げられている。また、外面被覆片部１ｃの内面に両面テープ７を貼り付けておいてもよい。
なお、上記エンドキャップＡは一方のものを説明したが、反対形状のものも用意される。
【００２３】
上記隙間被覆片部５は、本体部分１とは材質が異なるので、本体部分１とは別体で形成され接着により一体化してもよいし、軟質・硬質樹脂を同時に金型に射出する２色成形（ダブルモールド）により一体成形してもよい。
【００２４】
なお、当該エンドキャップＡを、幅木１０の模様に合わせた色調のものとしたり、または、表面に塗装等を施したりするようにしてもよい。 また、上記のような合成樹脂系材料に、木粉や無機フィラー、相溶化剤、着色剤などを所定の含有割合で含有させた木粉・プラスチック複合材（ＷＰＣ）から成形するようにしてもよい。さらに、上記のような合成樹脂製に限られず、アルミニウムやステンレス等の金属材料から鋳造や切削加工等によって一体的に成形した金属製のものとしてもよい。
【００２５】
次に、上記構成とされたエンドキャップＡを用いた幅木１０の突合せ端部の納め構造の一例を出隅施工で説明する。
まず、図１（ａ）に示すように、幅木１０を壁面３０と床面４０との交差部分に於いて、出隅３０ａに向けて両側から設置し、幅木１０の凹溝１０ｍの部分を壁面３０の下端に釘止め固定する。なお、壁面３０にはクロス３５が貼られている。
出隅３０ａにおいて、一方の幅木１０の先端面は出隅３０ａに一致し、他方の幅木１０の先端部分１０ｓは一方の幅木１０のほぼ厚みだけ出隅３０ａから突出する。この部分において、寸法誤差や設置誤差などで突きあわされた一方の幅木１０の先端面と、他方の幅木１０の壁側内側面１０ｄとの間には隙間Ｘが発生する。
【００２６】
次いで、出隅３０ａから突出している他方の幅木１０の先端部分１０ｓにエンドキャップＡを被せる。この時、両面テープ７が設けられている場合には、前もって離形紙を剥がしておき、装着部分である幅木１０の先端部分１０ｓの外側面１０ｃに貼着する。また、挟持用舌片１ｅが設けられておれば、壁面３０と該幅木１０の先端部分１０ｓとの間に差し込んでエンドキャップＡを固定する。この時、外面被覆片部１ｃの凸条１ｍは幅木１０の凹溝１０ｍに嵌め込まれる。
【００２７】
エンドキャップＡの本体部分１の縦横の内寸（或いは内面形状）は、幅木１０の縦横の外寸（或いは外形形状）に等しく形成されているので、上記のように外面被覆片部１ｃの凸条１ｍは幅木１０の凹溝１０ｍに嵌め込まれると、上面被覆片部１ａは幅木１０の上面１０ａに密着し、外面被覆片部１ｃは幅木１０の外側面１０ｃに密着する。エンドキャップＡはその木口被覆片部１ｂが幅木１０の木口１０ｂに当接するまで押し込まれる。
これにより上面被覆片部１ａは壁面３０に近接し、木口被覆片部１ｂと外面被覆片部１ｃの下辺は床面４０に接触する。木口被覆片部１ｂの外面は、エンドキャップＡに直交して配置される一方の幅木１０の先端面にほぼ一致する。
【００２８】
そして、木口被覆片部１ｂと上面被覆片部１ａから延出した隙間被覆片部５は上記一方の幅木１０の先端面及び壁面３０に接触して内側に曲がり（或いは、内側に曲がるように施工され）、上記隙間Ｘに入り込んでこれを覆う。なお、隙間Ｘが微小で隙間被覆片部５が入り込めない場合は、隙間Ｘが露出しない位置で切除してもよい。
なお、エンドキャップＡの内面に接着剤を塗布し、装着時に幅木１０の先端部分１０ｓに接着してもよい。
これにより、当該エンドキャップＡを介して突きあわされた幅木１０の露出面が連なるような沿面となり、見栄え良く幅木１０の端部を納めることができる。
【００２９】
図１（ｂ）は、開口部Ｋに臨む位置に幅木１０の先端部分１０ｓが来るように設置され、且つこの部分にエンドキャップＡを設置した例で、開口部Ｋの内側面に見切枠２０が取り付けられている。見切枠２０は左右一対の見切縦枠２１（図では一方だけを示す。）と、見切縦枠２１の前・背面に取り付けられる２対４個の見切材２５とで構成される（図では一方だけを示す。）。
ここで使用される見切材２５は、図７に示すようなＬ形の樹脂成形部材で、見切縦枠２１の前・背面に上下方向に凹設された見切取付溝２２にその見切取付部２７が嵌め込まれて接着固定され、見切縦枠２１から調整間隙Ｒを越えて壁面３０の端部を覆う被覆片部２６が壁面３０に取り付けられている。そして壁面３０には前記同様にクロス３５が貼られ、その端部が見切取付溝２２に押し込まれ、その上からコーキング剤２９が充填されて上記端部を覆っている。
【００３０】
この場合、見切縦枠２１の前面（背面）と壁面３０とがほぼ面一であるため、被覆片部２６とクロス３５の厚みの和が、幅木１０と見切縦枠２１との間の隙間Ｘとなって現れる。
そこで、幅木１０に先端部分１０ｓに上記のようにエンドキャップＡを被せると、隙間被覆片部５が見切縦枠２１やクロス３５に接触して内側に曲がり（或いは内側に曲がるように施工し）、前記隙間Ｘを隠す。
【００３１】
以上に説明したエンドキャップＡは、本発明のほんの一例を示すに過ぎない。エンドキャップＡは、発明の趣旨を変更しない範囲で、例えば、袖壁、腰壁などの端部の被覆など種々変更することができる。この場合、造作部材１０は幅木と同様、壁本体に読み替えるものとする。
【符号の説明】
【００３２】
Ａ：エンドキャップ、Ｋ：開口部、Ｒ：調整間隙、Ｘ：隙間、１：本体部分、１ａ：上面被覆片部、１ｂ：木口被覆片部、１ｃ：外面被覆片部、１ｄ：開放面、１ｅ：挟持用舌片、１ｋ：傾斜片部、１ｍ：凸条、５：隙間被覆片部、５ａ：軟質上片部、５ｂ：軟質木口片部、５ｓ：隙間被覆片部の先端部分、７：両面テープ、１０：造作部材（幅木）、１０ａ：上面、１０ｂ：木口、１０ｃ：外側面、１０ｄ：壁側内側面、１０ｋ：傾斜面、１０ｍ：凹溝、１０ｓ：造作部材の先端部分、２０：見切枠、２１：見切縦枠、２２：見切取付溝、２５：見切材、２６：被覆片部、２７：見切取付部、２９：コーキング剤、３０：壁面、３０ａ：出隅、３５：クロス、４０：床面。
【図１】
2018091037.tif 000003
【図２】
2018091037.tif 000004
【図３】
2018091037.tif 000005
【図４】
2018091037.tif 000006
【図５】
2018091037.tif 000007
【図６】
2018091037.tif 000008
【図７】
2018091037.tif 000009